(57)【要約】【課題】  筐体内の電気回路に塵や埃が付着するのを確実に防止する。【解決手段】  端部の開口に正面パネル４及び背面パネル６が取り付けられた胴部２の内部に電気回路が収容されている。胴部２内で正面及び背面パネル４、６と胴部２との継ぎ目８、１０付近に内部カバー１４の先端部が位置し、残りの部分が胴部２内に位置し、胴部２の天井面側及び両側面側から電気回路を被っている。継ぎ目８、１０付近において、外部カバー５４、５６が、内部カバーの先端部を内部に挿入しており、継ぎ目８、１０に跨って位置している。【選択図】  図１
2013197152.tif 000002
【特許請求の範囲】
【請求項１】
内部が空洞で正面と背面とのうち少なくとも一方が開口をした胴部の前記開口にパネルを取り付け、内部に電気回路が収容されている胴部と、
前記胴部内において、前記パネルと前記胴部との継ぎ目付近に先端部が位置し、残りの部分が前記胴部内に位置し、前記胴部の天井面側及び両側面側から前記電気回路を被っている第１のカバーと、
前記胴部内の前記継ぎ目付近において、前記第１のカバーの先端部を内部に挿入しており、前記継ぎ目に跨って位置している第２のカバーとを、
具備する電気機器用筐体。
【請求項２】
請求項１記載の電気機器用筐体において、前記第１のカバーの先端部は、前記継ぎ目を超えて前記パネル側にあり、前記第２のカバーの先端は、前記第１のカバーの先端部を超えて前記パネル側にあり、前記第２のカバーの後端は、前記継ぎ目を超えて前記胴部側にある電気機器用筐体。
【請求項３】
請求項２記載の電気機器用筐体において、前記パネルは、傾斜面を有し、前記第２のカバーは、前記第１のカバーよりも内側にある内側シートと、前記第１のカバーよりも外側にある外側シートとを、有し、前記内側シートと外側シートとの先端部は、前記傾斜面に対応して傾斜した部分を有し、前記内側シートと外側シートとの先端部が互いに接着されており、前記内側シートと外側シートとの非接着部分間に前記第１のカバーの先端部が位置する電気機器用筐体。
【発明の詳細な説明】
【技術分野】
【０００１】
本発明は、電気機器用筐体に関し、特に防塵対策を施したものに関する。
【背景技術】
【０００２】
従来、防塵対策を施した電気機器用筐体には、例えば特許文献１に開示されたようなものがある。特許文献１の技術では、間隔をおいて対向するように正面パネルと背面パネルとが配置され、これらの間を繋ぐように中間部が配置されている。中間部内にある電源回路の部品を被うように正面形状及び背面形状が概略逆Ｕ字状の内部カバーが配置されている。内部カバーの上部の正面パネル側の全域から、正面パネルと中間部との接触面を超えて斜め上方を向いて舌片が形成されている。同様に内部カバーの上部の背面パネル側の全域から、背面パネルと中間部との接触面を超えて斜め上方を向いて別の舌片が形成されている。
【先行技術文献】
【特許文献】
【０００３】
【特許文献１】特開２００８−１１８８５４号公報
【発明の概要】
【発明が解決しようとする課題】
【０００４】
特許文献１の技術によれば、正面パネルと中間部との接触面や、背面パネルと中間部との接触面から、筐体の内部に雨水などの水滴が侵入しても、舌片を伝って内部カバーの上部に流れるので、内部カバー内の電源回路の部品が水滴に触れることを防止できる。しかし、正面パネルと中間部との接触面や、背面パネルと中間部との接触面から筐体の内部に入った塵や埃が、内部カバーの正面パネル側や背面パネル側の先端部から内部カバーの内部に侵入することがあった。
【０００５】
本発明は、このような塵や埃の侵入を防止した電気機器用筐体を提供することを目的とする。
【課題を解決するための手段】
【０００６】
本発明の一態様の電気機器用筐体は、胴部を有している。胴部は、内部が空洞で正面と背面とのうち少なくとも一方が開口をした胴部の前記開口にパネルを取り付け、内部に電気回路が収容されているものである。胴部の正面及び背面双方に開口を有し、これら開口夫々にパネルを取り付けることもできる。前記胴部内において、前記パネルと前記胴部との継ぎ目付近に、第１のカバーの先端部が位置し、残りの部分が前記胴部内に位置している。第１のカバーの先端部は、継ぎ目を超えてパネル側に位置することもできるし、継ぎ目を超えずに、胴部側に位置することもできる。第１のカバーが、前記胴部の天井面側及び両側面側から前記電気回路を被っている。第１のカバーは、少なくともその正面形状が概略逆Ｕ字状とすることができるし、枠状とすることもできる。前記胴部内の前記継ぎ目付近において、第２のカバーが前記第１のカバーの先端部を内部に挿入しており、前記継ぎ目に跨って位置している。
【０００７】
このように構成された電気機器用筐体では、第１のカバーの先端部が、第２のカバーによって被われており、この第２のカバーは、パネルと胴部との継ぎ目に跨って位置しているので、継ぎ目から侵入した塵や埃が第１のカバーの先端部から第１のカバーの内部に入り込むことを防止できる。
【０００８】
前記第１のカバーの先端部は、前記継ぎ目を超えて前記パネル側に位置させることができる。この場合、前記第２のカバーの先端は、第１のカバーの先端部を超えて前記パネル側にあり、前記第２のカバーの後端は、前記継ぎ目を超えて前記胴部側にある。
【０００９】
このように構成すると、第１のカバーも第２のカバーも、パネルと胴部との継ぎ目に跨って位置しているので、継ぎ目から侵入した塵や埃が第１のカバー内に侵入しにくい。
【００１０】
更に、前記パネルは、傾斜面を有することがある。この場合、第２のカバーは、第１のカバーよりも内側にある内側シートと、第１のカバーよりも外側にある外側シートとを、有している。前記内側シートと外側シートとの先端部は、前記傾斜面に対応して傾斜した部分を有し、前記内側シートと外側シートとの先端部が互いに接着されており、前記内側シートと外側シートとの非接着部分間に前記第１のカバーの先端部が位置する。
【００１１】
パネルが傾斜面を有する場合、これに対応して第１及び第２のカバーも傾斜面を有する必要がある。第２のカバーは、その内部に第１のカバーの先端部が挿入されるので、傾斜面を有した形状に一枚のシートから構成することは困難である。そこで、第２のカバーは、内側及び外側シートを貼り合わせて構成されている。
【発明の効果】
【００１２】
以上のように、本発明によれば、パネルと胴部との継ぎ目付近にある第１のカバーの先端部を、継ぎ目に跨って位置している第２のカバー内に挿入しているので、継ぎ目から塵や埃が筐体内に進入しても、第１のカバーの内部に侵入することを低減させることができる。
【図面の簡単な説明】
【００１３】
【図１】本発明の１実施形態の電気機器用筐体の側面図である。
【図２】図１の電気機器用筐体の内部カバーと外部カバーとの取り付け状態を示す斜視図である。
【図３】図１の電気機器用筐体の外部カバーの内部シート、外部シート及び接着帯の展開図である。
【図４】図１の電気機器用筐体の外部カバーの部分省略拡大縦断側面図である。
【図５】図１の電気機器用筐体の外部カバーの部分省略拡大縦断正面図である。
【図６】図１の電気機器用筐体の外部カバーの正面図、右側面図及び平面図である。
【図７】図１の電気機器用筐体の内部カバーと外部カバーとの取り付け状態及び外部カバーの胴部への取り付け状態を示す部分省略拡大横断平面図である。
【図８】図１の電気機器用筐体の内部カバーと外部カバーとの取り付け状態及び外部カバーの胴部への取り付け状態を示す部分省略拡大縦断正面図である。
【発明を実施するための形態】
【００１４】
本発明の一実施形態の電気機器用筐体は、例えば溶接機用電源装置の筐体であって、図１に示すように、胴部２と、パネル、例えば正面パネル４と背面パネル６とを有している。胴部２は、概略直方体状に形成され、その内部が空洞であり、その正面側及び背面側が矩形の開口とされている。正面側の開口を正面パネル４が閉じ、背面側の開口を背面パネル６が閉じている。正面パネル４及び背面パネル６は、胴部２の正面側開口及び背面側開口をそれぞれ被って外方に伸び、その先端側を正面側及び背面側からそれぞれ見ると概略長方形状をなすものである。胴部２と正面パネル４との間には、継ぎ目８が形成され、胴部２と背面パネル６との間にも継ぎ目１０が形成されている。図７に示すように、継ぎ目８は、正面パネル４の後端部周縁に窪んだ段部１２を形成し、この段部１２に胴部２の正面側開口を嵌め込むことによって形成され、塵や埃が筐体内に侵入しにくくされている。継ぎ目１０でも同様である。これら胴部２、正面パネル４及び背面パネル６は、例えば合成樹脂製である。
【００１５】
胴部２内には、電気回路、例えば溶接機用電源装置用の電気回路（図示せず）が配置されている。正面パネル４には、電気回路の調整用スイッチやつまみ、表示部（図示せず）が設けられている。背面パネル６には、電源コネクタや溶接に使用するガスのコネクタ等（図示せず）が設けられている。
【００１６】
継ぎ目８、１０の段部１２を超えて侵入した塵や埃や水滴が胴部２内の電気回路に付着することを防止するために、胴部２内には、電気回路を包囲するように、第１のカバー、例えば内部カバー１４が配置されている。内部カバー１４は、例えば紙製で、具体的には防水紙製で、図２に示すように、長方形状の天井壁１６を有し、天井壁１６の両長手縁から下方に天井壁１６に対して垂直に長方形状の両側壁１８、２０が降下している。即ち、内部カバー１４は、その正面及び背面形状が概略逆Ｕ字状である。天井壁１６が胴部２の天井と対向し、かつ両側壁１８、２０が胴部２の両側壁と対向するように、胴部２内に配置されている。この配置状態において、側壁１８、２０の正面側の縁部は、図１に示すように、継ぎ目８よりも胴部２の内部に位置している。同様に側壁１８、２０の背面側の縁部も継ぎ目１０よりも胴部２の内部に位置している。
【００１７】
側壁１８の正面側の縁部全域から概略長方形状の延長側壁２２が継ぎ目８を超えて正面パネル４側まで延長され（図１参照）、側壁２０の正面の縁部全域から概略長方形状の延長側壁２４（図示せず）が継ぎ目８を超えて正面パネル４側まで延長されている。同様に、側壁１８、２０の背面側の縁部全域からも概略長方形状の延長側壁２６、２８が継ぎ目１０を超えて背面パネル６側まで延長されている（図１参照）。これら延長側壁２２、２４、２６、２８には、胴部２と、内部カバー１４内の電気回路とを結合するためのネジの挿通孔２９が、形成されている。
【００１８】
天井壁１６の正面パネル４側の縁部全域から胴部２の正面側開口を向いて斜め上方に長方形状の傾斜壁３０が形成され、その傾斜壁３０の先端全域から継ぎ目８を超えて正面パネル４内に進入するように長方形状の延長天井壁３２が形成されている。傾斜壁３０の一方の側縁及び延長天井壁３２の一方の側縁にそれぞれ長方形状の延長舌片３４、３６が形成されている。傾斜壁３０の他方の側縁及び延長天井壁３２の他方の側縁に延長舌片３８、４０（共に図示せず）が形成されている。同様に、天井壁１６の背面パネル６側の縁部全域から胴部２の背面側開口を向いて斜め上方に長方形状の傾斜壁４２が形成され、その傾斜壁４２の先端全域から継ぎ目１０を超えて背面パネル６内に進入するように長方形状の延長天井壁４４が形成されている。これら傾斜壁４２の両側縁及び延長天井壁４４の両側縁にそれぞれ長方形状の延長舌片４６、４８、５０、５２が形成されている。延長天井壁３２、４４、傾斜壁３０、４２を設けたことにより、継ぎ目８、１０の上部から筐体内部に進入した水滴は、傾斜壁３０、４２を伝わって天井壁１６上に移動するので、水滴が内部カバー１４内の電気回路に付着することはない。
【００１９】
この内部カバー１４の延長天井壁３２、４４、延長側壁２２、２４、２６、２８の先端部を被うように、第２のカバー、例えば外部カバー５４、５６が、正面パネル４と胴部２、背面パネル６と胴部２とを跨いで筐体内に配置されている。外部カバー５４、５６は、同一の構成であるので、外部カバー５４についてのみ詳細に説明し、同一部分には同一符号を付して、説明を省略する。外部カバー５４も、例えば紙製で、具体的には防水紙製で、図３に示すように内部シート５７、外部シート５８及び接着帯６０とからなる。
【００２０】
内部シート５７は、長方形状の天井壁６２を有し、その両端縁に側壁６４、６６が一体に形成されている。側壁６４、６６は、概略五角形状に形成されている。即ち、側壁６４、６６は、天井壁６２の一方の長手縁より側方に向かうに従って外側に位置する傾斜縁６８、７０を有し、これら傾斜縁６８、７０の先端から直線状にさらに側方に向かう直線縁７２、７４を有し、これら直線縁７２、７４の先端で内側に直線縁７２、７４に対して直角をなす直線縁７６、７８を有している。また、天井壁６２の他方の長手縁をそれぞれ両側に延長した直線縁８０、８２も有している。直線縁７６、７８における直線縁８０、８２側の端部に概略長方形状の脚片８４、８６が形成されている。
【００２１】
外部シート５８も、内部シート５７と同様に天井壁８６、側壁８８、９０、脚片９２、９４を有している。天井壁８６は天井壁６２と同じ長さ寸法であるが、幅寸法が短い。側壁８８、９０は、側壁６４、６６の傾斜縁６８、７０に対応する傾斜縁９６、９８を有し、これらは傾斜縁６８、７０と同じ傾斜で同じ長さである。さらに側壁８８、９０は、側壁６４、６６の直線縁７２、７４に対応する直線縁１００、１０２を有し、これも直線縁７２、７４と同じ長さである。側壁８８、９０は、側壁６４、６６の直線縁７６、７８に対応して同じ長さの直線縁１０４、１０６も有している。脚片９２、９４は、内部シート５７の脚片８４、８６と同じ長さであるが、その幅寸法は短い。
【００２２】
これら内部シート５７と外部シート５８とは、内部シート５７上に外部シート５８とを重ねて、天井壁６２、８６に対して直角に側壁６４、６６、８８、９０を折り曲げて接着されている。即ち、天井壁６２、８６の一方の側縁を一致させ、側壁６４、８６の傾斜縁６８、９６を一致させ、側壁６６、９０の傾斜縁７０、９８を一致させ、側壁６４、８８の直線縁７２、１００を一致させ、側壁６６、９０の直線縁７４、１０２を一致させた状態で、天井壁６２、８６に対して直角に側壁６４、６６、８８、９０を折り曲げて、互いに接触している面の天井壁６２、８６の一方の側縁、傾斜縁６８、９６、直線縁７２、１００側の図３に一点鎖線で示す領域を図４に示すように接着剤１０８で接着してある。
【００２３】
接着帯６０は、例えば長方形状の両面テープで構成され、外部シート５８の脚片９２、９４における傾斜縁９６、９８側にある直線縁１１０、１１２に、一方の長辺が一致するように配置され、その一方の接着剤層１１４によって図４及び図５に示すように接着されている。
【００２４】
図６（ａ）乃至（ｃ）に、組み立てた状態の外部カバー５４の正面図、側面図及び平面図を示す。なお、図６（ａ）では接着帯６０の接着層は省略している。
【００２５】
これら外部カバー５４、５６は、側壁６４、６６、８８、９０の傾斜縁６８、７０、９６、９８が正面パネル４及び背面パネル６内に継ぎ目８、１０から離れて位置するように配置され、接着帯６０の他方の接着剤層１１６を利用して、図７、図８に示すように正面パネル４及び背面パネル６の天井壁及び両側壁に取り付けられている。傾斜縁６８、７０、９６、９８を形成してあるのは、図１に示すように正面パネル４及び背面パネル６がその上部に傾斜面を有しており、この傾斜面と対向して傾斜縁６８、７０側を正面パネル４及び背面パネル６内に入れるためである。このように配置した状態で、外部カバー５４、５６の側壁６４、６６、８８、９０は、継ぎ目８、１０を超えて、胴部２内に進入している。この配置状態において、図２に示すように、延長側壁２２、２４、２６、２８のネジの挿通孔２９は、内部シート５７の直線縁８０、８２と重なるので、ネジの挿通孔２９に挿通されたネジを内部カバー１４内に進入させるために、直線縁８０、８２のネジの挿通孔２９に対応する位置には、図３に示すように切欠１１８が形成されている。
【００２６】
そして、外部カバー５４、５６では、上述したように内部シート５７、外部シート５８を接着してあるので、外部カバー５４、５６は胴部２側で開口した袋状となっており、その袋状の内部に図１及び図２に示すように、内部カバー１４の延長側壁２２、２４、２６、２８、延長天井壁３２、４４、延長舌片３６、４０等が進入している。なお、図２では、外部カバー５４のみを示し、外部カバー５６は省略してある。
【００２７】
従って、継ぎ目８、１０の部分には、外部カバー５４、５６と内部カバー１４とが位置し、継ぎ目８、１０から筐体内に侵入した塵や埃は、内部カバー１４内の電気回路に到達しにくく、これら電気回路に塵や埃は付着しにくくなる。さらに、外部カバー５４、５６の先端である傾斜縁６８、７０、９６、９８、直線縁７２、７４は、継ぎ目８、１０から離れた位置の正面パネル４及び背面パネル６内にあるので、益々塵や埃は、内部カバー１４内の電気回路に到達しにくく、付着しにくい。
【００２８】
上記の実施形態では、内部カバー１４及び外部カバー５４、５６は、いずれも底の無いものを示したが、底のあるものを使用することもできる。また、上記の実施形態では、正面パネル４及び背面パネル６として、胴部２と別個のものを示したが、いずれか一方が胴部２と一体に構成されたものを使用することもできる。その場合、外部カバー５４、５６のうち胴部２と別個に構成されたもの側に配置するものだけを使用する。上記の実施形態では、内部カバー１４に延長天井壁３２、４４を備えるものを使用したが、これらを使用していないものを使用することもできる。その場合、外部カバー５４、５６の天井壁６２、８４間の空間には、内部カバー１４の天井壁１６の正面側及び背面側の端部が挿入される。上記の実施形態では、外部カバー５４、５６は、傾斜縁６８、７０、９６、９８を有するものを使用したが、これは正面パネル４、６が上部に傾斜面を持つものであったからであり、正面パネル４及び背面パネル６が傾斜面を持たないものである場合には、これら傾斜縁６８、７０、９６、９８は不要である。その場合、外部カバー５４、５６は、内部シート５７、外部シート５８と別個に形成する必要が無く、一枚のシートを折り曲げて外部シートを構成することもできる。上記の実施形態では、電気機器用筐体の一例として溶接機用電源装置の筐体を示したが、他の電気機器用筐体、例えばメッキ用電源装置等を使用することもできる。上記の実施形態では、接着帯６０として両面テープを使用したが、これに限ったものではなく、例えば両面にそれぞれ接着層を有する帯状のものを接着帯として使用することもできる。
【符号の説明】
【００２９】
２  胴部
４  正面パネル
６  背面パネル
８  １０  継ぎ目
１４  内部カバー
５４  ５６  外部カバー
【図１】
2013197152.tif 000003
【図２】
2013197152.tif 000004
【図３】
2013197152.tif 000005
【図４】
2013197152.tif 000006
【図５】
2013197152.tif 000007
【図６】
2013197152.tif 000008
【図７】
2013197152.tif 000009
【図８】
2013197152.tif 000010